(57)【要約】【課題】個人用健康装置（ＰＨＤ）（１０５）及び個人用健康装置（ＰＨＤ）（１０５）（例えば血糖モニタ）と演算装置（１１０）（例えばスマートフォン）との無線によるペアリング方法を開示する。【解決手段】一実施形態においては、ＰＨＤ（１０５）は、秘密鍵を演算装置に第１の通信媒体（１１５）（例えば光信号、音声信号、パターン）を介して通信する。ＰＨＤ（１０５）は、演算装置（１１０）から無線による第２の通信媒体（１２０）（例えばＢｌｕｅｔｏｏｔｈ（登録商標）又はＷｉＦｉ）を介して秘密鍵を含むペアリング情報を受信する。するとＰＨＤ（１０５）は、ＰＨＤ（１０５）を演算装置（１１０）にペアリングすることで、演算装置（１１０）との安全な通信チャネルを確立できる。【選択図】図１
2019195222.tif 000002
【特許請求の範囲】
【請求項１】
プロセッサと、
前記プロセッサにより実行されるプログラムを記憶したコンピュータ可読媒体と、
を備え、
前記プログラムは、
光又は音を含む第１の通信媒体を介して演算装置に、前記光の信号又は前記音の信号から得られる暗号化された秘密鍵を通信するために前記プロセッサにより実行される送信ステップと、
前記第１の通信媒体とは異なる、無線通信チャネルを含む第２の通信媒体を介して、前記演算装置から、前記秘密鍵を利用して暗号化されたペアリング情報を受信するために前記プロセッサにより実行される受信ステップと、
前記ペアリング情報を受信すると、前記演算装置に個人用健康装置をペアリングするために前記プロセッサにより実行されるペアリングステップと、
を含む、個人用健康装置。
【請求項２】
前記第１の通信媒体を介して前記秘密鍵を前記演算装置に通信するための前記送信ステップは、前記演算装置に有線通信リンクを介して前記秘密鍵を送信するために前記プロセッサにより実行される送信ステップをさらに含む、請求項１に記載の個人用健康装置。
【請求項３】
前記ペアリングステップは、前記秘密鍵を変更するために前記プロセッサにより実行される鍵変更ステップをさらに含む、請求項１に記載の個人用健康装置。
【請求項４】
前記秘密鍵を生成するために、前記プロセッサにより実行される生成ステップをさらに含む、請求項１に記載の個人用健康装置。
【請求項５】
前記個人用健康装置を、該個人用健康装置と前記演算装置とのペアリングを開始するモードに設定するために前記プロセッサにより実行されるペアリングの開始ステップをさらに含む、請求項１に記載の個人用健康装置。
【請求項６】
前記第１の通信媒体を介して前記演算装置に前記秘密鍵を通信することにより、近接通信（ＮＦＣ）チップが不要である、請求項１に記載の個人用健康装置。
【請求項７】
個人用健康装置により、光又は音を含む第１の通信媒体を介して演算装置に、前記光の信号又は前記音の信号から得られる暗号化された秘密鍵を送信することと、
前記個人用健康装置により、前記第１の通信媒体とは異なる、無線通信チャネルを含む第２の通信媒体を介して、前記秘密鍵を利用して暗号化されたペアリング情報を前記演算装置から受信することと、
前記個人用健康装置により、前記ペアリング情報を受信すると、前記個人用健康装置を前記演算装置にペアリングすることと、
を含む個人用健康装置と演算装置とのペアリング方法。
【請求項８】
前記個人用健康装置により前記演算装置に前記第１の通信媒体を介して前記秘密鍵を送信することは、前記個人用健康装置により有線通信リンクを介して前記演算装置に前記秘密鍵を送信することをさらに含む、請求項７に記載の個人用健康装置と演算装置とのペアリング方法。
【請求項９】
前記個人用健康装置を前記演算装置にペアリングすることは、前記秘密鍵を変更することをさらに含む、請求項７に記載の個人用健康装置と演算装置とのペアリング方法。
【請求項１０】
前記個人用健康装置により前記秘密鍵を生成することをさらに含む、請求項７に記載の個人用健康装置と演算装置とのペアリング方法。
【請求項１１】
前記個人用健康装置を、該個人用健康装置と前記演算装置とのペアリングを開始するモードに設定することをさらに含む、請求項７に記載の個人用健康装置と演算装置とのペアリング方法。
【請求項１２】
演算装置により個人用健康装置から、光又は音を含む第１の通信媒体を介して、前記光の信号又は前記音の信号から得られる暗号化された秘密鍵を受信することと、
前記演算装置により前記個人用健康装置に、前記第１の通信媒体とは異なる、無線通信チャネルを含む第２の通信媒体を介して、前記秘密鍵を利用して暗号化されたペアリング情報を送信することと、
前記演算装置と前記個人用健康装置とにより前記第２の通信媒体を介して前記個人用健康装置と前記演算装置との間のペアリングを確立することと、
を含む個人用健康装置と演算装置とのペアリング方法。
【発明の詳細な説明】
【技術分野】
【０００１】
（関連出願の相互参照）
この特許出願は、「個人用健康装置と演算装置との無線ペアリング」と題され、２０１３年３月１２日に出願された米国仮特許出願第６１／７７７，４６７号、並びに「個人用健康装置と演算装置との無線ペアリング」と題され、２０１４年３月１２日に出願された米国出願第１４／２０６，０７７号の利益を主張するものであり、その全体が参照により本明細書に組み込まれる。
本明細書に開示された実施形態は、個人用健康装置に係り、より詳細には、個人用健康装置と演算装置との無線ペアリングに関する。
【背景技術】
【０００２】
血糖モニタ（ＢＧＭ：Blood Glucose Monitor）等の個人用健康装置（ＰＨＤ：Personal Health Device）のユーザは、ＰＨＤに記憶されたデータを演算装置と通信してデータを分析したり、又は、データを医師等の医療専門家に通信したりすることを欲するかもしれない。ＰＨＤと演算装置との間に通信を確立するための１つの既存の技術は、ケーブルを介してＰＨＤを演算装置に接続することを伴う。
しかしながら、無線でＰＨＤを演算装置に接続するためには、しばしば、ＰＨＤを演算装置に同期させ又はペアリング（pairing）しなければならない。このペアリングは、通常、予め設定された秘密鍵を一方又は両方の装置に入力することにより行われる。ＢＧＭその他のＰＨＤ等、限られたユーザインタフェースを有する装置にキー入力することは、一般的に面倒である。このために、秘密鍵は、００００又は１２３４等のような分かりきった数に設定されることが多い。これは、何者かが秘密鍵を推測する危険性を増大させる。また、限られたユーザインタフェースを有する装置に秘密鍵を打ち込むことは、１つ以上の入力誤りの発生の危険性を増大させる。他の既存のペアリング技術には、無線周波数（ＲＦ）を介してクリアテキスト（暗号化されていない文字列）で鍵を送信するというものがあるが、それによると傍受者がペアリング情報を容易に得ることができる。
【発明の概要】
【発明が解決しようとする課題】
【０００３】
既存のＰＨＤには、スマートフォンのような演算装置と通信するものがある。しかしながら、従来の通信技術はセキュリティの問題に悩まされている。例えば、既存のＰＨＤで用いられる一般的な通信方法は、無線周波数（ＲＦ）を介して通信することを含む。この種の通信は、通常安全でなく（例えば交換されるソフトウェアキーがない）、傍受者が容易に傍受し得る。
【課題を解決するための手段】
【０００４】
本明細書に説明するいくつかの態様によれば、ＰＨＤは、第１の通信媒体を介して秘密鍵を演算装置（スマートフォン又はタブレット等）に送信する。ＰＨＤは、演算装置から無線による第２の通信媒体を介して（第１の通信媒体上で送信された秘密鍵を用いて）新たな秘密鍵を含み得るペアリング情報を受信する。すると、ＰＨＤは、演算装置と安全にペアリング可能である。
【０００５】
第１の通信媒体の例は、光、音、ディスプレイ画面、バーコード、及び／又はケーブル等の有線接続を含む。第２の通信媒体は、Ｂｌｕｅｔｏｏｔｈ（登録商標）、Ｂｌｕｅｔｏｏｔｈ  Ｌｏｗ  Ｅｎｅｒｇｙ（登録商標）、ＷｉＦｉ、又はＺｉｇｂｅｅ（登録商標）といった無線通信チャネルであってもよい。
【０００６】
第１の通信媒体が光（可視又は非可視スペクトル）である一実施形態に関しては、ＰＨＤのＬＥＤが演算装置に対する光学信号を表示する。この光学信号は、秘密鍵の表示である。演算装置は、（例えばカメラ又はフォトダイオードといった演算装置の光学センサを介して）光学信号を受信するときに秘密鍵を取得する。すると、第２の通信媒体上で秘密鍵を用いてペアリングが行われ得る。
【０００７】
第１の通信媒体が音（聴覚周波数又は超音波）である一実施形態に関しては、ＰＨＤのスピーカ又はオーディオ部品が秘密鍵を表す音声信号を鳴らす。演算装置は（例えば演算装置のマイクロホンを介して）音声信号を受信するときに秘密鍵を取得する。すると、第２の通信媒体上で秘密鍵を用いて、ペアリングが行われ得る。
【０００８】
第１の通信媒体がディスプレイ画面である一実施形態に関しては、ＰＨＤは、ディスプレイ画面上にパターンを表示することができる。このパターンは秘密鍵の表示である。演算装置は、（例えば自身のカメラを介して）このパターンをキャプチャし復号化して秘密鍵を取得することができる。すると、第２の通信媒体上で秘密鍵を用いてペアリングが行われ得る。
【０００９】
第１の通信媒体がバーコードである一実施形態に関しては、ＰＨＤがバーコードラベルを有し得る。このバーコードは、秘密鍵の表示又は秘密鍵である。演算装置は（例えば自身のカメラ又はレーザスキャナを介して）このバーコードをキャプチャして秘密鍵を取得することができる。すると、第２の通信媒体上で秘密鍵を用いてペアリングが行われ得る。
【００１０】
第１の通信媒体が有線接続である一実施形態に関しては、ＰＨＤは、秘密鍵を演算装置へ、有線接続を介して通信することができる。すると、第２の通信媒体上で秘密鍵を用いてペアリングが行われ得る。
【００１１】
一実施形態においては、ＮＦＣ（Near Field Communication）を用いて、演算装置がＰＨＤに埋め込まれたＲＦＩＤ（Radio Frequency Identification）タグを読み取り、秘密鍵を取得することができる。
【００１２】
また、ＰＨＤは、（例えば擬似ランダム鍵生成器を介して）秘密鍵を生成してもよい。一実施形態において、ＰＨＤと演算装置とのペアリングは、一旦、両装置が第１の秘密鍵を持つと、セキュリティを追加するために、秘密鍵を変更することを含む。
【００１３】
いくつかの実施形態において、ＰＨＤは、ペアリングを開始するモードに移される。このモードへの移行は、（例えばユーザによる）ＰＨＤ上のボタンの押下を介してもよいし、又は自動的に行われてもよく、又は演算装置からのメッセージに応答して行われてもよい。また、一実施形態において、演算装置は、２つの装置が最初に通信を開始するとき、ペアリングを待機するモードにしてもよい。
【００１４】
これら及び他の態様及び実施形態は、いわゆる当業者にとって、以下の詳細な説明及び添付の図面を参照することにより明らかになるであろう。
【図面の簡単な説明】
【００１５】
本明細書に開示される実施形態を、添付の図面を参照してさらに説明する。図面において、いくつかの図を通じて同一の構造は、同一の符号により参照される。示される図面は、必ずしも縮尺通りではなく、むしろ概して本明細書に開示される実施形態の原理の説明に重きが置かれている。
【００１６】
【図１】本開示による演算装置と通信する血糖モニタ（ＢＧＭ）を含むシステムの一実施形態の構成図を示す。
【図２】本開示によるＢＧＭによって実行される方法ステップの一実施形態を示す。
【図３】本開示による秘密鍵の送信をペアリングするための光を放出する、図１のＢＧＭの一実施形態の構成図を示す。
【図４】本開示による秘密鍵を送信するために音声信号を共鳴させる、図１のＢＧＭの一実施形態の構成図を示す。
【図５】本開示による有線接続を介して演算装置と通信する、図１のＢＧＭの一実施形態の構成図を示す。
【図６Ａ】本開示によるパターンを用いて演算装置と通信する、図１のＢＧＭの一実施形態の構成図を示す。
【図６Ｂ】本開示によるＮＦＣを用いてＢＧＭと通信する、図１の演算装置の一実施形態の構成図を示す。
【図７】本開示による個人用健康装置（ＰＨＤ）が実行する方法ステップの一実施形態を示す。
【図８】本開示による演算装置が実行する方法ステップの一実施形態を示す。
【図９】本開示による演算装置の一実施形態のブロック図を示す。
【００１７】
上記の図面は、本明細書に開示される実施形態を示すものであるが、説明において述べるように、他の実施形態も検討される。本開示は、実例的な実施形態を代表として示すものであって限定するものではない。本明細書に開示される実施形態の原理の精神の範囲内にある多数の他の変更及び実施形態が当業者により工夫され得る。
【発明を実施するための形態】
【００１８】
本明細書には、様々な実施形態が開示されているが、開示される実施形態は、様々な形で具現可能な開示を説明しているに過ぎないことを理解されるべきである。
また、様々な実施形態に関連して提示される例の各々は、説明的であることを意図されたものであり、限定的であることを意図されたものではない。
さらに、図は必ずしも縮尺通りではなく、特定の構成要素の詳細を示すために、いくつかの特徴は強調され得る（また、図に示されるいかなる大きさ、材料及び類似の詳細も、説明的であることを意図されたものであって、限定的であることを意図されたものではない）。
したがって、本明細書に開示される具体的な構造上及び機能上の詳細は、制限的なものとしてではなく、単に、開示される実施形態を様々に用いることを当業者に教示するための代表的な根拠としてのみ解釈されるべきである。
【００１９】
以下では、添付の図面を参照して主題をさらに十分に説明する。図面は、本明細書の一部を形成するものであり、実例として、具体的な実施形態の例を示す。もっとも、主題は、多様な異なる形で具現化されてもよく、したがって、取り扱われる主題又は特許を請求される主題は、本明細書に記載の何れかの例示的な実施形態にも限定されるものとして解釈されることを意図されておらず、例示的な実施形態は、説明のためにのみ提供される。
とりわけ、主題は、例えば、方法、装置、構成要素、又はシステムとして具現化され得る。よって、実施形態は、例えば、ハードウェア、ソフトウェア、ファームウェア又はこれらの任意の組み合わせの形をとってもよい。したがって、以下の詳細な説明は、限定的な意味で解釈されることを意図されていない。
【００２０】
本開示は、特定の話題に関連した手段を、選択及び提示する方法及び装置の構成図及び動作説明図を参照して説明する。構成図又は動作説明図の各構成、並びに、構成図又は動作説明図中の構成の組み合わせは、アナログ又はデジタルのハードウェアと、コンピュータプログラムの命令によって実施可能であることが理解される。これらのコンピュータプログラムの命令は、その命令がコンピュータ又は他のプログラム可能なデータ処理装置のプロセッサを介して実行し、構成図若しくは１つ以上の動作ブロックに規定されている機能や動作を実施するように、汎用コンピュータ、専用コンピュータ、ＡＳＩＣ、又は他のプログラム可能なデータ処理装置のプロセッサに提供されてもよい。
【００２１】
いくつかの代替的な実施形態において、ブロック内に記載されている機能や動作は、動作説明図に記載されている順序を外れて行われ得る。例えば、連続して示されている２つのブロックは、実際にはほぼ同時に行われることが可能であり、あるいは、これらのブロックは、関係する機能や動作に応じて、時には逆の順序で実行され得る。
また、本開示においてフローチャートとして示され説明されている方法の実施形態は、技術のより完全な理解を提供するために、一例として提示されるものである。開示される方法は、本明細書に示される動作及び論理フローに限定されない。様々な動作の順序が変更されたり、大きな動作の一部として説明されているサブの動作が独立して実行されたりする、代替的な実施形態が考えられる。
【００２２】
明細書及び特許請求の範囲の全体を通じて、用語は、明確に記述された意味を越え、文脈において示唆又は暗示される微妙な意味を持ち得る。同様に、本明細書において用いられる「一実施形態において」という言い回しは、必ずしも同一の実施形態を参照するものではなく、本明細書において用いられる「別の一実施形態において」という言い回しは必ずしも異なる実施形態を参照するものではない。例えば、特許を請求する主題は、例示的な実施形態の全体又は一部の組み合わせを含むことが意図されている。
【００２３】
概して、専門用語は、少なくとも部分的には文脈における用法から理解されてもよい。例えば、本明細書において用いられる「及び」、「又は」、「及び／又は」といった用語は、少なくとも部分的にはそのような用語が用いられる文脈によって決まり得る様々な意味を含んでもよい。
典型的には、「又は」が、Ａ，Ｂ，又はＣのような羅列を関連付けるために用いられる場合、包含的な意味でＡ，Ｂ，及びＣを意味することが意図されると共に、排他的な意味でＡ，Ｂ，又はＣを意味することが意図される。
加えて、本明細書において用いられる「１つ以上の」という用語は、少なくとも部分的には文脈に応じて、単数形の意味での任意の特徴、構造、又は特性を説明するために用いられてもよいし、あるいは複数形の意味での特徴、構造、又は特性の組み合わせを説明するために用いられてもよい。
同様に、「１つの（ａ）」、「１つの（ａｎ）」、又は「その（ｔｈｅ）」といった用語も、やはり、少なくとも部分的には、文脈に応じて単数形の用法を伝達するか、又は複数形の用法を伝達するものと理解され得る。
さらに、「基づいて」という用語は、必ずしも排他的な一連の要因を伝達することを意図されているのではなく、やはり少なくとも部分的に文脈に応じて、必ずしも明確に記載されていない追加的な要因の存在を容認し得るものとして理解されてもよい。
【００２４】
本明細書に開示されている実施形態は、個人用健康装置（小型で手軽な健康装置）（ＰＨＤ）を演算装置に安全にペアリングすることに関する。ＰＨＤの非限定的な例は、血糖モニタ（ＢＧＭ）、薬物注入ポンプ（例えば、インシュリンポンプ、高性能なインシュリンペン、又は類似の装置）、血圧カフ、パルスオキシメータ、最大呼気流量装置、ＨｂＡ１ｃ装置、アルコール呼気分析計、コレステロールモニタ、血球容量モニタ、超音波心臓診断図用センサ、呼吸モニタ、連続血糖モニタ、デジタル温度計、電子ピルボックス、又は類似の装置、歩数計、心拍数モニタ、ベビーモニタ（遠隔カメラ又はマイクロホン）、電子財布、車両用キーフォブ、活動モニタ、緊急用信号灯（緊急用ビーコン）、又は類似の装置を含むが、これらに限られない。
演算装置の非限定的な例は、コンピュータ、ラップトップ型コンピュータ、タブレット、スマートフォン、デジタルカメラ、テレビ、情報端末、車両用計器盤、高性能なＡ／Ｖ装置（例えば、ＤＶＤ／ブルーレイプレーヤ）、電子ガラス、車両用ヘッドアップディスプレイ、ビデオプロジェクタ、又は類似の装置を含むが、これらに限られない。
本明細書においては、ＢＧＭに関して記載するが、本明細書における説明は、どんなＰＨＤにも適用することができる。ＰＨＤと演算装置との安全なペアリングは、ペアリングのプロセスの際の傍受を事実上排除すると共に、２つの装置の間での通信の信頼性を大いに高める。
【００２５】
図１は、スマートフォン等の演算装置１１０と通信するＢＧＭ１０５（又は任意の他のＰＨＤ）を含むシステム１００の一実施形態を示す。図２は、ＢＧＭ１０５により実行されるステップの一実施形態を示す。
ＢＧＭ１０５は、演算装置１１０との通信において使用する秘密鍵を取得する（ステップ２０５）。ＢＧＭ１０５は、例えば、秘密鍵を（例えばランダム又は擬似ランダム鍵生成器を介して）生成すること、秘密鍵をユーザからの入力として受信すること、及び／又は秘密鍵を（例えば走査機構又はデジタルカメラを介して）読み取ることによって、秘密鍵を取得することができる。
以下により詳細に説明するように、ＢＧＭ１０５は、第１の通信媒体１１５を介して演算装置１１０に秘密鍵を送信する（ステップ２１０）。一実施形態において、ＢＧＭ１０５は、演算装置１１０から無線による第２の通信媒体１２０を介してペアリング情報を受信する（ステップ２１５）。
無線通信チャネルの例としては、ＷｉＦｉ、Ｂｌｕｅｔｏｏｔｈ（登録商標）、Ｂｌｕｅｔｏｏｔｈ  Ｓｍａｒｔ（登録商標）、ＡＮＴ／ＡＮＴ＋（登録商標）、ＺｉｇＢｅｅ（登録商標）、セルラ、近接通信（ＮＦＣ）等の無線周波数（ＲＦ）、光（例えばバーコード、ＩＲＤＡ、ＯＣＲ、又は類似の装置）、音（例えば超音波、亜音速／振動、又は類似の音）、磁気、熱、電気（例えば抵抗、インピーダンス、電圧、電流）、又は類似のチャネルを含むが、これらに限られない。
次に、ＢＧＭ１０５は、演算装置１１０とのペアリングを完成させる（ステップ２２０）。したがって、ＢＧＭ１０５、演算装置１１０間で秘密鍵及びペアリング情報を通信するために異なる通信チャネル又は媒体が用いられるため、システム１００は、ＢＧＭ１０５と演算装置１１０との間での「混合モード」のペアリング方法を可能にする。
【００２６】
Ｂｌｕｅｔｏｏｔｈ（登録商標）についての簡単な背景として、Ｂｌｕｅｔｏｏｔｈ（登録商標）を介して提供されるサービスの多くは、個人データを公開したり、接続相手がＢｌｕｅｔｏｏｔｈ（登録商標）装置を制御できるようにしたりすることができる。
安全上の理由から、特定の装置を認識できること、ひいては装置が所定のＢｌｕｅｔｏｏｔｈ（登録商標）装置に接続できるようにする制御を可能にすることが必要である。同時に、Ｂｌｕｅｔｏｏｔｈ（登録商標）装置は、ユーザの介在なしに（例えば範囲内に入るとすぐに）接続を確立することができるので有用である。
この競合を解決するために、Ｂｌｕｅｔｏｏｔｈ（登録商標）は、ボンディングと呼ばれるプロセスを用い、ボンドは、ペアリングと呼ばれるプロセスを通じて生成される。ペアリングのプロセスは、ユーザからのボンド生成の具体的な要求（例えば、ユーザが「Ｂｌｕｅｔｏｏｔｈ（登録商標）装置を追加」することを明確に要求する）によってトリガされるか、又は、セキュリティの目的で装置の識別が（初めて）必要とされるサービスに接続するときに自動的にトリガされる。
【００２７】
ペアリングは、ある程度のユーザとの対話処理を必要とすることが多い。このユーザとの対話処理は、装置の識別を確認するための基礎と成り得る。一旦、ペアリングが正常に完成すると、２つの装置の間には、ボンドが形成されており、これらの２つの装置は、以後、装置の識別を確認するためのペアリングのプロセスを必要とすることなく、互いに接続できるようになる。必要に応じて、ボンディング関係は、後でユーザによって解除されてもよい。
【００２８】
ペアリングのプロセスにあたって、関係する２つの装置は、「リンクキー」又は「秘密鍵」として知られる「共有秘密」を生成することにより関係を確立する。秘密鍵が両方の装置によって記憶されている場合、それらの装置は、ペアリング又はボンディングされていると言われる。ボンディングされた装置に対してのみ通信を希望する装置は、他方の装置の識別を暗号で認証することができるので、それが以前ペアリングされたものと同一の装置であることを確認できる。一旦、秘密鍵が生成され共有されると、装置間の認証された非同期コネクションレス（ＡＣＬ：Asynchronous Connection-Less）リンクが暗号化され得るため、それらの装置が放送電波を介して交換するデータは、傍受から保護される。Ｂｌｕｅｔｏｏｔｈ（登録商標）サービスは、一般に暗号化又は認証の何れかを必要とするため、遠隔装置に所定のサービスの利用を許可する前にペアリングを要する。
【００２９】
図３は、秘密鍵の送信をペアリングするための光を放出するＢＧＭ１０５の構成図を示す。演算装置１１０は、ペアリングのために待機しており、ＢＧＭ１０５は、ペアリングを開始するモードの状態にある。
一実施形態において、ＢＧＭ１０５のユーザが（ボタンを押下する等の）動作を開始して、ＢＧＭ１０５に対してペアリングを開始するモードにする。あるいは、ＢＧＭ１０５がペアリングを開始するモードに自動的に遷移する。同様に、演算装置１１０のユーザは、演算装置１１０をペアリングの待機モードにする動作を行うことができ、又は演算装置１１０は、待機モードに自動的に遷移することができる。
【００３０】
一実施形態において、ＢＧＭ１０５は、発光ダイオード（ＬＥＤ：Light Emitting Diode）３０５を含む。ＬＥＤ３０５は、ＢＧＭ１０５上のイジェクトボタンの指示灯（eject button indicator）であっても、他の二重の機能を有するＬＥＤであっても、あるいはこの機能に特化したＬＥＤであってもよい。
上述のように、ＢＧＭ１０５は、秘密鍵を生成又は取得する（例えば、ＢＧＭ１０５は予め設定された秘密鍵を用いる）。ＢＧＭ１０５は、秘密鍵に対応した光信号３１０を送信する（例えば点滅させる）。光信号３１０は、可視スペクトルに限定されない。光信号３１０（以下では光学信号３１０とも称される）は単一波長でも多波長でもあり得る。多波長の光信号３１０は、信号を基数Ｎで暗号化することができ、ここでＮ−１は、利用可能な波長の数である。一実施形態において、信号３１０は、振幅変調（ＡＭ）又は周波数変調（ＦＭ）といった他の暗号化方法と組み合わせ可能である。
【００３１】
演算装置１１０は、演算装置１１０上に存在する自身のカメラ３１５又は他の光検知素子（例えば、ディスプレイ３２０の明るさを調整するために用いられる演算装置１１０上のフォトダイオード又は光センサ）を介する等して光信号３１０を受信する。すると、演算装置１１０は、光信号３１０から秘密鍵を確定することができる。
一実施形態において、演算装置１１０は、受信した秘密鍵を利用して、暗号化されたペアリング情報３３０をＢｌｕｅｔｏｏｔｈ（登録商標）（又は第１の通信媒体（光学）とは異なる何らかの第２の通信媒体）を介して送信する。ＢＧＭ１０５は、秘密鍵を知っている唯一の他の装置であり、したがって、Ｂｌｕｅｔｏｏｔｈ（登録商標）メッセージを復号化することのできる唯一の装置である。ＢＧＭ１０５は、Ｂｌｕｅｔｏｏｔｈ（登録商標）メッセージを復号化し、Ｂｌｕｅｔｏｏｔｈ（登録商標）セキュアリンクを介したペアリングを完成させる。
【００３２】
一実施形態において、演算装置１１０は、光信号３１０の受信後、秘密鍵を変更する。この実施形態において、演算装置１１０は、ＢＧＭ１０５により送信された当初の秘密鍵によって新たな鍵データを暗号化することにより、新たな秘密鍵を（例えばＢｌｕｅｔｏｏｔｈ（登録商標）を介して）ＢＧＭ１０５に送信する。すると、ＢＧＭ１０５と演算装置１１０とは新たに確定された秘密鍵に切り替えることができる。
【００３３】
光学信号３１０を介して秘密鍵を送信することによって、秘密鍵を成功裏に取得するためには、傍受者は、ＢＧＭ１０５に物理的に（信頼できるＢｌｕｅｔｏｏｔｈ（登録商標）／ＲＦペアリングよりも近くに）接近しなければならないであろうし、傍受者の装置は、光学信号３１０を受信する能力を有すると共にＢＧＭ１０５の見通せる範囲内になければならないであろう（Ｂｌｕｅｔｏｏｔｈ（登録商標）／ＲＦペアリングは、見通せる範囲内である必要がない）。また、Ｂｌｕｅｔｏｏｔｈ（登録商標）を用いる場合には、傍受者は、典型的な近接通信（ＮＦＣ）とは異なる混合モード方法のペアリングを予期する必要があるであろう。
【００３４】
図４は、音声信号４０５を共鳴させて秘密鍵を送信するＢＧＭ１０５の構成図を示す。上述のように、演算装置１１０は、ペアリングのために待機しており、ＢＧＭ１０５は、ペアリングを開始するモードにある。一実施形態において、音声信号４０５は、スピーカ又は他の音響装置４１０（例えばＢＧＭ１０５の内部に位置するスピーカ４１０又はＢＧＭ１０５と通信する外部スピーカ）から発せられる。音声信号４０５は、可聴範囲にあってもよいし、あるいは非可聴範囲（例えば超音波範囲）にあってもよい。
【００３５】
上述のように、ＢＧＭ１０５は、秘密鍵を生成又は取得する。ＢＧＭ１０５は、既存のポケベル等の信号発信器（beeper）と、スピーカ４１０と、圧電体との何れかをデジタル方式で共鳴させて、秘密鍵を音声信号４０５で送信する。演算装置１１０は、演算装置１１０上に存在するマイクロホン４１５又は他の振動検知素子を介して、この音声信号４０５を受信する。
演算装置１１０は、音声信号４０５を秘密鍵に変換し、受信した秘密鍵を用いて、暗号化されたペアリング情報４２０をＢｌｕｅｔｏｏｔｈ（登録商標）（又は第１の通信媒体（音声）とは異なる何らかの第２の通信媒体）を介して送信する。ＢＧＭ１０５は、Ｂｌｕｅｔｏｏｔｈ（登録商標）メッセージを復号化し、Ｂｌｕｅｔｏｏｔｈ（登録商標）のセキュアリンクを介したペアリングを完成させることのできる唯一の他の装置である。
【００３６】
上述のように、演算装置１１０は、音声信号４０５の受信後に、暗号化された秘密鍵を変更することができる。秘密鍵を音声信号を介して送信することによって、傍受者は、ＢＧＭ１０５に物理的に（信頼できるＢｌｕｅｔｏｏｔｈ（登録商標）／ＲＦペアリングよりも近くに）接近すると共に、音声信号４０５を受信する能力を要する装置を利用する必要があるであろう。また、Ｂｌｕｅｔｏｏｔｈ（登録商標）を用いる場合には、傍受者は、典型的なＮＦＣとは異なる混合モード方法のペアリングを予期する必要があるであろう。
【００３７】
図５は、有線接続５０５を介して演算装置１１０と通信するＢＧＭ１０５の構成図を示す。上述のように、演算装置１１０は、ペアリングのために待機しており、ＢＧＭ１０５は、ペアリングを開始するモードにある。ＢＧＭ１０５は、秘密鍵を生成又は取得する。ＢＧＭ１０５は、有線接続５０５を介して秘密鍵をデジタル送信する。
有線接続５０５の例としては、ＵＳＢケーブル、シリアルケーブル、ＲＳ−２３２ケーブル、光ファイバケーブル、又はＢＧＭ１０５と演算装置１１０とを物理的に接続することのできる任意の他の物理的通信リンクを含むが、これらに限られない。
一実施形態においては、有線接続５０５にて接続し、演算装置１１０及びＢＧＭ１０５のオーディオジャックを介してデータを送信する。
一実施形態において、ＢＧＭ１０５は、ＢＧＭ１０５と演算装置１１０とをペアリングするために必要とされる追加的なペアリング情報を、Ｂｌｕｅｔｏｏｔｈ（登録商標）３３０を介して（あるいは、別の一実施形態においては、有線接続５０５を介して）演算装置１１０に送信する。
【００３８】
ＢＧＭ１０５と演算装置１１０との間の有線接続５０５が解除され、現状においてＢｌｕｅｔｏｏｔｈ（登録商標）のリンク（又は第２の通信媒体）は、安全である。上述のように、演算装置１１０は、現状において暗号化された秘密鍵を変更して、この秘密鍵をＢＧＭ１０５へ送信することができる。秘密鍵が、物理リンク５０５を介して送信されることにより、傍受されることは完全に排除される。全てのＢｌｕｅｔｏｏｔｈ（登録商標）通信が安全になり暗号化される。
【００３９】
図６Ａは、パターンを用いて演算装置１１０と通信するＢＧＭ１０５の構成図を示す。ＢＧＭ１０５は、ペアリングを開始するモードにある。ＢＧＭ１０５は、秘密鍵を生成又は取得する。ＢＧＭ１０５は、秘密鍵をパターン６０５の形でディスプレイ画面６１０（例えば液晶ディスプレイ、ドットマトリクスディスプレイ、又は類似の装置）上に表示する。
パターン６０５は、ディスプレイ画面６１０上で見ることのできる１つ以上の単語、文字、記号、図形、映像、アニメーション、デザイン、及び／又は、これらの何れか１つ以上の配置であってもよい。演算装置１１０は、自身のカメラ３１５を用いてパターンの写真６１５を撮影する。演算装置１１０は、この写真６１５から、復号化されたパターン６２０を確定する。
一実施形態において、図６では、パターン「１２ＢＥＦ４」として示されている復号化されたパターン６２０が秘密鍵である。演算装置１１０は、秘密鍵を用いて、暗号化されたペアリング情報６２５をＢｌｕｅｔｏｏｔｈ（登録商標）（又は何らかの他の第２の通信媒体）を介して送信する。ＢＧＭ１０５は、秘密鍵を知っている唯一の他の装置である。
したがって、Ｂｌｕｅｔｏｏｔｈ（登録商標）のメッセージを復号化し、Ｂｌｕｅｔｏｏｔｈ（登録商標）のセキュアリンクを介したペアリングを完成させることのできる唯一の装置である。
【００４０】
上述のように、一実施形態において、演算装置１１０は、暗号化された秘密鍵を変更し、ＢＧＭ１０５により送信された当初の秘密鍵によって新たな鍵データを暗号化する。これにより、演算装置１１０は、新たな秘密鍵をＢｌｕｅｔｏｏｔｈ（登録商標）を介してＢＧＭ１０５に送信することができる。そのとき、ＢＧＭ１０５及び演算装置１１０の両方は、新たに確定された秘密鍵に切り替えることが可能である。
【００４１】
ＢＧＭ１０５の表示画面６１０にて秘密鍵を暗号化し、その秘密鍵を送信することにより、傍受者が秘密鍵を傍受できるためには、ＢＧＭ１０５に物理的に接近し、ディスプレイ画面６１０の見通せる範囲内にいて、且つ暗号化の方法を知っている必要があるであろう。
また、Ｂｌｕｅｔｏｏｔｈ（登録商標）を用いる場合には、傍受者は、典型的なＮＦＣとは異なる混合モード方法のペアリングを予期する必要があるであろう。
【００４２】
一実施形態において、予め設定された秘密鍵は、バーコードとしてＢＧＭ１０５（例えばＢＧＭ１０５の背部）に刷り込まれ固定される。一実施形態において、演算装置１１０は、自身のカメラ３１５を用いてバーコードを読み取り、秘密鍵を確定する。すると、演算装置１１０は、その秘密鍵を用いて、暗号化されたペアリング情報をＢｌｕｅｔｏｏｔｈ（登録商標）（又は何らかの他の第２の通信媒体）を介して送信する。
上述のように、演算装置１１０は、暗号化された秘密鍵を変更することを選択でき、ＢＧＭ１０５により送信された当初の秘密鍵を用いて新たな鍵データを暗号化することにより、新たな秘密鍵をＢｌｕｅｔｏｏｔｈ（登録商標）を介してＢＧＭ１０５に送信する。そのとき、ＢＧＭ１０５及び演算装置１１０の両方が新たに確定された秘密鍵に切り替えることが可能である。
【００４３】
ＢＧＭ１０５に刷り込まれたバーコードを用いることによって秘密鍵を読み取ることで、傍受者は、秘密鍵を傍受するためには、ＢＧＭ１０５に物理的に接近する必要があるであろうし、バーコードの見通せる範囲内にいる必要があるであろう。また、Ｂｌｕｅｔｏｏｔｈ（登録商標）を用いる場合には、傍受者は、典型的なＮＦＣとは異なる混合モード方法のペアリングを予期する必要があるであろう。
【００４４】
図６Ｂを参照すると、一実施形態において、ＮＦＣ６０５を用いて、演算装置１１０は、ＢＧＭ１０５に埋め込まれたＲＦＩＤタグを読み取って秘密鍵を取得することができる。ＮＦＣ装置を用いて別のＮＦＣ装置に接続する従来のアプローチとは異なり、この実施形態は、ＮＦＣ装置をＲＦＩＤ装置に接続する。
【００４５】
本明細書に記載されるように、スマートフォン及びＰＨＤの既存の構成要素は、安全な混合モードペアリングを容易にするために利用される。換言すれば、従来のＰＨＤ及び演算装置内に現存しない電子部品は、この安全な混合モードのペアリングを利用するためには必要でない。
二人の装置所有者が各装置を一緒にタップしてペアリングするタップツーペア（ｔａｐ−ｔｏ−ｐａｉｒ）式の構成は、追加的な電子部品を有し、したがってより費用がかかるが、上述のペアリングはこれとは異なり、専用のハードウェアを必要としないので、より費用効率の高いソリューションとなっている。
【００４６】
上述の異なる実施形態は、例えばＢＧＭ１０５及び演算装置１１０にダウンロードされたファームウェア又はソフトウェアを介して実施され得る。一実施形態において、演算装置１１０（及び／又はＢＧＭ１０５）は、ソフトウェアアプリケーション（「アップ」とも称される）を、例えばオンラインのアップストアからダウンロードする。
一実施形態においては、ＢＧＭ１０５の製造者が、先に述べた実施形態のうち１つ以上の能力を有するＢＧＭ１０５を製造するであろう。
【００４７】
上述のように、ＰＨＤは、ユーザがＰＨＤからのデータを分析及び／又はグラフ化したい場合、及び／又は、ユーザがデータを医師等の医療専門家に通信したい場合には、ＰＨＤに記憶されたデータを演算装置と通信することができる。
一実施形態において、ユーザがＰＨＤを用いて別のＰＨＤを制御するが、これは前者のＰＨＤを後者のＰＨＤとペアリングすることにより行われる。
例えば、糖尿病のユーザは、ユーザの所有するＢＧＭをユーザのインシュリンポンプとペアリングすることができる。すると、ユーザは、自身の血糖を、自身のＢＧＭを用いて検査することができると共に、記載されたペアリング技術のうち１つ以上を介して、ユーザのインシュリンポンプによりユーザに投与されるインシュリンの量を調整することができる。
一実施形態において、ＰＨＤ（例えばＢＧＭ１０５）は、ユーザが多くの装置のうちどの装置をＰＨＤとペアリングしたいかを選択することのできるオプション又はディスプレイ画面を有する。
【００４８】
図７は、本開示によるＰＨＤ（例えばＢＧＭ１０５）により実行される方法ステップの一実施形態を示す。ＰＨＤ１０５は、ペアリングモードに入るよう構成されている（ステップ７０５）。一実施形態においては、ユーザがＰＨＤ１０５をペアリングモードに設定して演算装置１１０とペアリングする。例えば、ユーザは、ＰＨＤ１０５上のボタンを押下してＰＨＤ１０５をペアリングモードにしてもよい。
【００４９】
ＰＨＤ１０５が、バーコードのペアリング用に設計されている場合には（ステップ７１０）、ＰＨＤ１０５は、送信及び受信のための第２の通信媒体に移行する（ステップ７２５）。
そうでない場合には、ＰＨＤ１０５は、ＰＨＤ１０５のプロファイルに応じて、１つ以上のＬＥＤ、ポケベル等の信号発信器、スピーカ若しくは圧電体、有線ケーブル、又はＬＣＤパターンといった第１の通信媒体の送信装置を使用可能（イネーブル）にする（ステップ７１５）。
次に、ＰＨＤ１０５は、第１の通信媒体上で秘密鍵を送信する（ステップ７２０）。ＰＨＤ１０５は、第２の通信媒体に切り替え（ステップ７２５）、第２の通信媒体上で演算装置１１０とのペアリングを完成させる（ステップ７３０）。
上述のように、第２の通信媒体は、例えばＲＦ（ＷｉＦｉ、Ｂｌｕｅｔｏｏｔｈ（登録商標）、Ｂｌｕｅｔｏｏｔｈ  Ｓｍａｒｔ（登録商標）、ＡＮＴ／ＡＮＴ＋（登録商標）、ＺｉｇＢｅｅ（登録商標）、ＮＦＣ（登録商標）、又は類似の媒体）であってもよい。すると、ＰＨＤ１０５は、第２の通信媒体を介してデータを受信又は送信することができる（ステップ７３５）。
ＰＨＤ１０５は、データが送信及び／又は受信されたとき等、後の時点で通信（接続）セッションを終了させる（ステップ７４０〜７４５）。
【００５０】
図８は、本開示による演算装置により実行される方法ステップの一実施形態を示す。演算装置１１０のユーザは、個人用健康アップを開くことができる（ステップ８０５）。
一実施形態において、ユーザは、ペアリングする装置を選択する（ステップ８１０）。最初にどちらの装置（ＰＨＤ１０５又は演算装置１１０）がペアリングモードにされるかの順序は重要でないかもしれない。演算装置１１０がバーコードを指示するＰＨＤ１０５のプロファイルを有する場合には、演算装置１１０は、カメラ又はバーコードスキャナを用いてＰＨＤ１０５上のバーコード化されたラベルを読み取る。ＰＨＤ１０５のプロファイルがバーコードとは異なる媒体を含む場合には、演算装置１１０は、第１の媒体の受信装置をイネーブルする（ステップ８１５）。
第１の媒体の受信装置は、フォトセンサ、カメラ、マイクロホン、又は有線ケーブルであってもよい。演算装置１１０は、ある期間、その受信機でＰＨＤ１０５の信号を探す（ステップ８２０〜８２５）。ＰＨＤ１０５が見つからなければ、演算装置１１０は、ユーザに、ＰＨＤ１０５が見つからなかった旨を警告することができる（ステップ８３０）。
ステップ８２０において、ＰＨＤ１０５が見つかった場合には、演算装置１１０は、第１の通信媒体を介して秘密鍵を受信する（ステップ８３５）。
【００５１】
次に、演算装置１１０は、送信及び／又は受信のための第２の通信媒体に切り替える（ステップ８４０）。一実施形態において、演算装置１１０は、第２の通信媒体上でペアリングを完成させる（ステップ８４５）。演算装置１１０は、ユーザ又はアップの接続を終了する（ステップ８５５）までデータを受信／送信する（ステップ８５０）。
【００５２】
ペアリングが可能な装置には、いくつかの種類がある。上述のように、１つの例は、スマートフォン又はタブレットとペアリングされたＢＧＭを含むが、これに限られない。ＢＧＭは、例えばインシュリンポンプ又はインシュリンペンともペアリング可能であるが、これに限られない。上述のように、血圧カフは、例えばスマートフォン又はタブレットとペアリング可能であるが、これに限られない。
ペアリングの別の一例は、スマートフォン又はタブレットとペアリングされたパルスオキシメータ、血圧カフ、インシュリンポンプ、心拍数モニタを含むが、これに限られない。
【００５３】
装置のペアリングは、例えば糖尿病の人々、高血圧の人々、及び／又はヘモグロビンが飽和状態の人々の助けとなり得るが、それに限られない。
【００５４】
演算装置１１０は、有線又は無線ネットワークを介する等して信号を送信又は受信することができてもよく、あるいは、例えばメモリにおいて物理メモリ状態として信号を処理又は記憶することができてもよい。演算装置１１０は、１つ以上の中央処理装置とメモリとを含んでいてもよい。
また、演算装置１１０は、１つ以上の大容量記憶装置、１つ以上の電源、１つ以上の有線又は無線ネットワークインタフェース、１つ以上の入力／出力インタフェース、又は、ｉＯＳ（登録商標）、Ａｎｄｒｏｉｄ（登録商標）、Ｗｉｎｄｏｗｓ（登録商標）ＸＰ（登録商標）、Ｗｉｎｄｏｗｓ（登録商標）７、Ｗｉｎｄｏｗｓ（登録商標）８、Ｍａｃ（登録商標）ＯＳ  Ｘ（登録商標）、Ｕｎｉｘ（登録商標）、Ｌｉｎｕｘ（登録商標）、ＦｒｅｅＢＳＤ（登録商標）等といった１つ以上のオペレーティングシステムも含んでいてもよい。
一実施形態において、演算装置１１０は、データベースをホストするか又はデータベースと通信する。データベースは、演算装置１１０から局所的に又は遠隔的に格納されてもよい。
【００５５】
ネットワークは、演算装置１１０とＰＨＤとの間等で通信が交換され得るように装置を連結してもよい。また、ネットワークは、例えばネットワーク接続ストレージ（ＮＡＳ）、ストレージエリアネットワーク（ＳＡＮ）、又は他の形のコンピュータ又は機械可読媒体といった大容量記憶も含んでいてもよい。ネットワークは、インターネット、１つ以上のローカルエリアネットワーク（ＬＡＮ）、１つ以上の広域ネットワーク（ＷＡＮ）、有線型の接続、無線型の接続、又はこれらの任意の組み合わせを含んでもよい。
同様に、異なるアーキテクチャを採用し得る、あるいは異なるプロトコルに準拠し又は互換性を有し得るサブネットワークが、大きなネットワーク内で相互運用してもよい。様々な種類の装置が利用可能にされて、例えば異なるアーキテクチャ又はプロトコルの相互運用能力を提供してもよい。１つの例示的な例としては、ルータが、さもなければ分離して独立しているＬＡＮの間に、リンクを提供してもよい。
【００５６】
通信リンク又はチャネルは、例えば、撚り線や同軸ケーブル等のアナログ電話回線、Ｔ１，Ｔ２，Ｔ３，又はＴ４タイプを含む完全な又は部分的なデジタル回線、サービス総合デジタル網（ＩＳＤＮ：Integrated Services Digital Networks）、デジタル加入者線（ＤＳＬ：Digital Subscriber Lines）、衛星リンクを含む無線リンク、又は当業者には既知であり得るような他の通信リンク又はチャネルを含んでいてもよい。さらに、演算装置又は他の関連する電子装置は、例えば電話回線又はリンクを介する等して、ネットワークに遠隔的に連結されてもよい。
【００５７】
無線ネットワークがクライアント装置をネットワークと連結してもよい。無線ネットワークは、スタンドアロンのアドホックネットワーク、メッシュネットワーク、無線ＬＡＮ（ＷＬＡＮ）ネットワーク、セルラネットワーク等を採用してもよい。
さらに、無線ネットワークは、無線リンク等により連結された端末、ゲートウェイ、ルータ等のシステムをさらに含んでいてもよく、これは、ネットワークトポロジが時には速くさえ変化し得るように、自由に又はランダムに移動してもよく、あるいは任意に編成されてもよい。
さらに、無線ネットワークは、ロングタームエボリューション（ＬＴＥ：Long Term Evolution）、ＷＬＡＮ、無線ルータ（ＷＲ：Wireless Router）メッシュ、又は第２、第３、又は第４世代（２Ｇ，３Ｇ，又は４Ｇ）セルラ技術、又は類似のネットワークを含む複数のネットワークアクセス技術を採用してもよい。ネットワークアクセス技術が、例えば移動度の異なるクライアント装置等の装置の広いエリアカバレッジを可能にしてもよい。
【００５８】
例えば、ネットワークは、移動通信用グローバルシステム（ＧＳＭ：Global System for Mobile communication）、ユニバーサル移動体通信システム（ＵＭＴＳ：Universal Mobile Telecommunications System）、汎用パケット無線サービス（ＧＰＲＳ：General Packet Radio Services）、拡張データＧＳＭ環境（ＥＤＧＥ：Enhanced Data GSM Environment）、３ＧＰＰロングタームエボリューション（ＬＴＥ）（登録商標）、ＬＴＥ  Ａｄｖａｎｃｅｄ（登録商標）、広帯域符号分割多元接続（ＷＣＤＭＡ：Wideband Code Division Multiple Access）、Ｂｌｕｅｔｏｏｔｈ（登録商標）、８０２．１１ｂ／ｇ／ｎ、又は類似のネットワークアクセス技術等、１つ以上のネットワークアクセス技術を介してＲＦ又は無線方式の通信を可能にしてもよい。無線ネットワークは、事実上、クライアント装置又は演算装置といった装置間、ネットワーク間又はネットワーク内等で信号を通信し得る、どんな種類の無線通信機構を含んでいてもよい。
【００５９】
一実施形態において、上述のように、演算装置１１０は、スマートフォンである。一実施形態において、演算装置１１０は、タブレットである。演算装置１１０は、コンピュータ、ラップトップ型コンピュータ、セットトップボックス、又は類似の装置であってもよい。
図９に示すように、演算装置９１０（及び／又はＰＨＤ１０５）は、１つ以上の処理装置（本明細書においてはコンピュータ処理装置（ＣＰＵ）とも称される）９２２を含んでいてもよく、これは少なくとも１つのコンピュータバス９２５と接続する。
メモリ９３０は、永続性記憶装置であってもよく、コンピュータバス９２５と接続する。メモリ９３０は、ＲＡＭ９３２及びＲＯＭ９３４を含む。
ＲＯＭ９３４は、ＢＩＯＳ９４０を含む。メモリ９３０は、コンピュータバス９２５とインタフェースして、オペレーティングシステム９４１、アプリケーションプログラム９４２、デバイスドライバ、並びに、プログラムコード及び／又は本明細書に記載の機能性、例えば本明細書に記載のプロセスフローのうち１つ以上を組み込んだコンピュータ実行可能なプロセスのステップを備えたソフトウェアプログラムとして、例えばソフトウェアモジュールのメッセンジャ９４３、ブラウザ９４５の実行時に、メモリ９３０に記憶された情報をＣＰＵ９２２に提供する。
ＣＰＵ９２２は、先ず、例えばメモリ９３０、データ記憶媒体９４４、取り外し可能なメディアドライブ、及び／又は他の記憶デバイス等の記憶装置から、コンピュータ実行可能なプロセスのステップをロードする。すると、ＣＰＵ９２２は、ロードされたコンピュータ実行可能なプロセスのステップを実行するために、記憶されたプロセスのステップを実行することができる。記憶されたデータ、例えば記憶デバイスにより記憶されたデータは、コンピュータ実行可能なプロセスのステップの実行中、ＣＰＵ９２２によりアクセスされ得る。
【００６０】
永続性記憶媒体９４４は、例えばオペレーティングシステム及び１つ以上のアプリケーションプログラム等、ソフトウェア及びデータを記憶するために用いられ得るコンピュータ可読記憶媒体である。永続性記憶媒体９４４は、デジタルカメラドライバ、モニタドライバ、プリンタドライバ、スキャナドライバ、又は他のデバイスドライバのうち１つ以上等のデバイスドライバ、ウェブページ、コンテンツファイル、プレイリスト及び他のファイルを記憶するためにも用いられ得る。永続性記憶媒体９４４はさらに、本開示の１つ以上の実施形態を実施するために用いられるプログラムモジュール及びデータファイルを含み得る。
【００６１】
本開示のためには、コンピュータ可読媒体は、コンピュータデータを記憶し、このデータは、コンピュータによって実行可能なコンピュータプログラムコードを機械可読な形で含み得る。
一例として、コンピュータ可読媒体は、データの有形又は固定記憶のためのコンピュータ可読記憶媒体、又はコードを含む信号の一時的な解釈のための通信媒体を備えていてもよいが、これらに限られるものではない。
本明細書において用いられるコンピュータ可読記憶媒体は、（信号とは対照的に）物理的な記憶装置又は有形の記憶装置を指し、コンピュータ可読命令、データ構造、プログラムモジュール又は他のデータといった情報を有形に記憶するための任意の方法又は技術で実施された、揮発性及び不揮発性、取り外し可能及び取り外し不可能な媒体を無制限に含む。
コンピュータ可読記憶媒体は、ＲＡＭ、ＲＯＭ、ＥＰＲＯＭ、ＥＥＰＲＯＭ、フラッシュメモリ又は他の固体メモリ技術、ＣＤ−ＲＯＭ、ＤＶＤ、又は他の光学式記憶、磁気カセット、磁気テープ、磁気ディスク記憶装置又は他の磁気記憶装置、若しくは任意の他の物理的又は物質的な媒体であって所望の情報又はデータ又は命令を有形に記憶するために使用可能でありコンピュータ又はプロセッサによりアクセス可能なものを含むが、これらに限られない。
【００６２】
演算装置９１０は、電源９２６、ネットワークインタフェース９５０、オーディオインタフェース９５２、ディスプレイ９５４（例えばモニタ又はスクリーン）、キーパッド９５６、照明器９５８、入力／出力（Ｉ／Ｏ）インタフェース９６０、触覚インタフェース９６２、ＧＰＳ９６４、マイクロホン９６７、ビデオカメラ、ＴＶ／ラジオチューナ、音声／映像キャプチャカード、サウンドカード、Ａ／Ｄ変換器を備えたアナログ音声入力、モデム、デジタルメディア入力（ＨＤＭＩ、光リンク）、デジタルＩ／Ｏポート（ＲＳ２３２，ＵＳＢ，ＦｉｒｅＷｉｒｅ，Ｔｈｕｎｄｅｒｂｏｌｔ）、拡張スロット（ＰＣＭＣＩＡ，ＥｘｐｒｅｓｓＣａｒｄ，ＰＣＩ，ＰＣＩｅ）のうち１つ以上も含み得る。
【００６３】
本開示のために、モジュールは、ソフトウェア、ハードウェア、又はファームウェア（若しくはこれらの組み合わせ）のシステム、プロセス又は機能性、又はその構成要素であって、本明細書に記載のプロセス、特徴、及び／又は機能（人間による相互作用又は増強を伴ってもよいし、又は伴わなくてもよい）を実行し、又は容易にする。
モジュールは、サブのモジュールを含み得る。モジュールのソフトウェアコンポーネントは、コンピュータ可読媒体上に記憶されてもよい。モジュールは、１つ以上の演算装置に一体化されてもよく、あるいは１つ以上の演算装置によりロード及び実行されてもよい。１つ以上のモジュールは、１つのエンジン又はアプリケーションにグループ化されてもよい。
【００６４】
したがって、一実施形態において、ＰＨＤは、プロセッサと、プロセッサにより実行されるプログラムの論理を有形に記憶する記憶媒体とを含む。プログラムの論理は、第１の通信媒体を介して演算装置に秘密鍵を通信するためにプロセッサにより実行される送信論理を含む。また、プログラムの論理は、演算装置から無線による第２の通信媒体を介して秘密鍵を備えたペアリング情報を受信するためにプロセッサにより実行される受信論理も含む。プログラムの論理は、演算装置に個人用健康装置をペアリングするためにプロセッサにより実行されるペアリング論理も含み得る。
【００６５】
一実施形態においては、ペアリング方法は、個人用健康装置により演算装置へ第１の通信媒体を介して秘密鍵を送信することと、個人用健康装置により演算装置から無線による第２の通信媒体を介して秘密鍵を備えたペアリング情報を受信することと、個人用健康装置により個人用健康装置を演算装置にペアリングすることと、を含む。
【００６６】
一実施形態においては、ペアリング方法は、演算装置により個人用健康装置から第１の通信媒体を介して秘密鍵を受信することと、演算装置により個人用健康装置へ無線による第２の通信媒体を介して秘密鍵を備えたペアリング情報を送信することと、演算装置と個人用健康装置とにより、第２の通信媒体を介して個人用健康装置と演算装置との間のペアリングを確立することと、を含む。
【００６７】
当業者は、本開示の方法及びシステムが多くの手法により実施され得ること、また、したがって、前述の例示的な実施形態及び例により限定されるべきでないことを認識するであろう。換言すれば、単一又は複数の構成要素によってハードウェアとソフトウェア又はファームウェアとを様々に組み合わせて行われる機能的要素、並びに個々の機能は、演算装置又はサーバの何れか又は両方においてソフトウェアアプリケーション間で分散されてもよい。
この点に関し、本明細書に記載の異なる実施形態の任意の数の特徴が単一又は複数の実施形態にまとめられてもよく、本明細書に記載された全ての特徴よりも少なく又は多くの特徴を有する代替的な実施形態が可能である。また、機能性は、全部又は一部が、現在知られている又は知られるようになる手法で、複数の構成要素の間で分散されてもよい。
したがって、本明細書に記載の機能、特徴、インタフェース及び好みの設定を実現するにあたっては、無数のソフトウェア／ハードウェア／ファームウェアの組み合わせが可能である。
さらに、現在及び今後当業者により理解され得る通り、本開示の範囲は、記載の特徴及び機能及びインタフェースを実行するための従来知られている手法、並びに本明細書に記載のハードウェア、ソフトウェア又はファームウェア構成要素に対してなされ得る変更及び修正をカバーする。
【００６８】
システム及び方法を１つ以上の実施形態に関して説明したが、本開示は開示されている実施形態に限定されることを要さないことが理解されるべきである。特許請求の範囲の精神及び範囲に含まれる様々な変形及び類似の配列をカバーすることが意図されており、その範囲は、全てのそのような変形及び類似の構造を包含するよう、最も広範な解釈を与えられるべきである。本開示は以下の特許請求の範囲の一切の実施形態を含む。
【図１】
2019195222.tif 000003
【図２】
2019195222.tif 000004
【図３】
2019195222.tif 000005
【図４】
2019195222.tif 000006
【図５】
2019195222.tif 000007
【図６Ａ】
2019195222.tif 000008
【図６Ｂ】
2019195222.tif 000009
【図７】
2019195222.tif 000010
【図８】
2019195222.tif 000011
【図９】
2019195222.tif 000012